(57)【特許請求の範囲】
【請求項１】
板状であり、表側の面に図柄が描かれ、上記図柄を裏側から照らす光源を有する表示ユニットと、
上記表示ユニットの裏側の面を覆う裏面カバーと、上記裏面カバーの一部が上記表示ユニットから離れる方向に膨らんだ中空箱状の点灯収納部とを有する本体枠と、
上記点灯収納部の内側に配置され、上記光源に対して電力を供給する点灯ユニットと
を有し、
上記点灯収納部は、
上記表示ユニットの裏側の面よりも面積が小さく、上記光源に対向している略長方形板状の収納裏面部と、
上記収納裏面部の上側から上記表示ユニットの裏側の面まで設けられ、上記表示ユニットの上面と略同一面上にある収納上面部と
を有する記載の表示装置。
【請求項２】
上記点灯収納部は、
上記収納裏面部に対して鈍角をなし、上記収納裏面部の左側と、上記裏面カバーとの間を接続する収納左側面部と、
上記収納裏面部に対して鈍角をなし、上記収納裏面部の右側と、上記裏面カバーとの間を接続する収納右側面部と
を有する請求項１に記載の表示装置。
【請求項３】
請求項１または請求項２に記載の表示装置を有し、
上記表示ユニットに描かれた図柄は、避難誘導を表わす図柄である誘導灯装置。
【発明の詳細な説明】
【技術分野】
【０００１】
この発明は、表示装置及びそれを用いた誘導灯装置に関する。
【背景技術】
【０００２】
誘導灯装置などの表示装置において、ＬＥＤなどの点光源を光源として用いた光源ユニットを表示板の側方に配置し、導光板などを用いて光源が放射した光を導くことにより、表示板を内側から照らすものがある。
また、本体を表示ユニットよりも小さくすることにより、表示装置を小型化する技術がある。
【先行技術文献】
【特許文献】
【０００３】
【特許文献１】特開２０１０−１４６８１５号公報
【発明の概要】
【発明が解決しようとする課題】
【０００４】
光源を点灯するための電力を供給するための配線を、本体と光源ユニットとの間に設ける必要がある。本体が表示ユニットよりも小さい場合、光源ユニット側の接続部を光源ユニットの中央付近に設けるか、配線を本体や表示ユニットの外に引き出す必要がある。接続部を光源ユニットの中央付近に設けると、光源の配置に影響する場合がある。
この発明は、例えば、表示装置の小型化を図り、本体の外に配線を出すことなく、光源の配置に影響しない表示装置を得ることを目的とする。
【課題を解決するための手段】
【０００５】
この発明にかかる表示装置は、板状であり、表側の面に図柄が描かれ、上記図柄を裏側から照らす光源を有する表示ユニットと、上記表示ユニットの裏側の面を覆う裏面カバーと、上記裏面カバーの一部が上記表示ユニットから離れる方向に膨らんだ中空箱状の点灯収納部とを有する本体枠と、上記点灯収納部の内側に配置され、上記光源に対して電力を供給する点灯ユニットとを有することを特徴とする。
【発明の効果】
【０００６】
この発明にかかる表示装置によれば、表示装置の小型化を図り、本体の外に配線を出すことなく、光源の配置に影響しない表示装置を得ることができる。
【図面の簡単な説明】
【０００７】
【図１】実施の形態１における誘導灯装置１０の外観を示す正視図及び斜視図。
【図２】実施の形態１における表示ユニット１１の構造を示す斜視図。
【図３】実施の形態１における本体枠１６の構造を示す斜視図。
【図４】実施の形態１における誘導灯装置１０の使用態様を示す斜視図。
【図５】比較例における誘導灯装置９０の使用態様を示す斜視図。
【発明を実施するための形態】
【０００８】
実施の形態１．
実施の形態１について、図１〜図５を用いて説明する。
【０００９】
図１は、この実施の形態における誘導灯装置１０の外観を示す正視図及び斜視図である。
【００１０】
誘導灯装置１０（表示装置）は、例えば、表示ユニット１１と、本体枠１６とを有する。
【００１１】
表示ユニット１１は、例えば長方形板状である。表示ユニット１１は、例えば、表示板１２と、表示枠１３と、光源ユニット１４（図２参照。）と、導光板１５（図２参照。）とを有する。
表示板１２は、例えば長方形板状であり、透過性の樹脂などによって形成されている。表示板１２の表側の面には、例えば避難口や避難口の方向など避難誘導を表わすピクトグラム（図柄）が描かれている。
光源ユニット１４は、例えばＬＥＤや有機ＥＬなどの光源を有する。
導光板１５は、光源ユニット１４の光源が放射した光を導く。導光板１５に導かれた光は、表示板１２に描かれた図柄を内側から照らす。
表示枠１３は、例えば長方形枠状である。表示枠１３は、表示板１２や光源ユニットを覆い、光源ユニットの光源が放射した光が、表示板１２以外の部分から外部に漏れるのを防ぐ。表示枠１３は、例えば、表示前面部３１と、表示右側面部３２と、表示左側面部３３と、表示下面部３５とを有する。表示前面部３１は、例えば長方形板状であり、表示板１２の表側の面を露出させるための開口を有する。表示右側面部３２は、例えば長方形板状であり、表示前面部３１の右側に、表示前面部３１に対して略垂直に設けられている。表示左側面部３３は、例えば長方形板状であり、表示前面部３１の左側に、表示前面部３１に対して略垂直に設けられている。表示下面部３５は、例えば長方形板状であり、表示前面部３１の下側に、表示前面部３１に対して略垂直に設けられている。
【００１２】
本体枠１６（器具本体）は、表示ユニット１１の裏側を覆う。本体枠１６は、例えば、裏面カバー１７と、点灯収納部１８とを有する。
裏面カバー１７は、例えば長方形板状である。裏面カバー１７は、表示ユニット１１とほぼ同じ大きさを有し、表示ユニット１１の裏側の面を覆う。裏面カバー１７は、例えば、カバー裏面部７１と、カバー左側面部７２（図３参照。）と、カバー右側面部７３（図３参照。）と、カバー下面部７５とを有する。カバー裏面部７１は、点灯収納部１８の部分を除いた長方形板状である。カバー左側面部７２は、カバー裏面部７１の左側に、カバー裏面部７１に対して略垂直に設けられている。カバー右側面部７３は、カバー裏面部７１の右側に、カバー裏面部７１に対して略垂直に設けられている。カバー下面部７５は、カバー裏面部７１の下側に、カバー裏面部７１に対して略垂直に設けられている。
点灯収納部１８（電気部品収納部）は、裏面カバー１７の一部が表示ユニット１１から離れる方向へ膨らんだ形状である。点灯収納部１８は、表示ユニット１１との間に、点灯ユニットなどを収納する空間を形成している。点灯収納部１８は、例えば、収納裏面部８１と、収納左側面部８２と、収納右側面部８３と、収納上面部８４と、収納下面部８５とを有する。
収納裏面部８１は、例えば長方形板状である。収納裏面部８１は、例えば、ノックアウト部８１１〜８１４を有する。ノックアウト部８１１〜８１４は、ノックアウトにより開口を形成できるように加工された部分である。ノックアウト部８１１〜８１４は、誘導灯装置１０を壁面に取り付けて使用する際に開口させて、電源線や取付金具などを挿通する。
収納左側面部８２は、例えば長方形板状である。収納左側面部８２は、収納裏面部８１の左側に設けられ、収納裏面部８１に対して鈍角をなす。収納左側面部８２は、収納裏面部８１と、カバー裏面部７１との間を接続している。
収納右側面部８３は、例えば長方形板状である。収納右側面部８３は、収納裏面部８１の右側に設けられ、収納裏面部８１に対して鈍角をなす。収納右側面部８３は、収納裏面部８１と、カバー裏面部７１との間を接続している。
収納上面部８４は、例えば略台形板状である。収納上面部８４は、収納裏面部８１の上側に、収納裏面部８１に対して略垂直に設けられている。収納上面部８４は、表示ユニット１１の上面とほぼ同一平面上にある。収納上面部８４は、例えば、ノックアウト部８４１〜８４４を有する。ノックアウト部８４１〜８４４は、ノックアウトにより開口を形成できるように加工された部分である。ノックアウト部８４１〜８４４は、誘導灯装置１０を天井面に取り付けて使用する際に開口させて、電源線や取付金具などを挿通する。
収納下面部８５は、例えば略台形板状である。収納下面部８５は、収納裏面部８１の下側に、収納裏面部８１に対して略垂直に設けられている。収納下面部８５は、収納裏面部８１と、カバー裏面部７１との間を接続している。収納下面部８５は、例えば、点検窓８５１を有する。点検窓８５１は、点検用スイッチや点検用表示灯などを露出させるための開口である。
【００１３】
図２は、この実施の形態における表示ユニット１１の構造を示す斜視図である。
この図は、表示ユニット１１を異なる二つの方向から見たところを示す。
【００１４】
光源ユニット１４は、例えば長尺形状である。光源ユニット１４は、例えば、コネクタ４１を有する。コネクタ４１（電気的接続部）は、光源ユニット１４の一方の端に設けられている。コネクタ４１が光源ユニット１４の端に設けられているので、光源の配置に影響しない。
表示右側面部３２は、内側に取付爪３２１，３２２（取付構造）を有する。
表示左側面部３３も同様に、内側に取付爪３３１，３３２（取付構造）を有する。
【００１５】
図３は、この実施の形態における本体枠１６の構造を示す斜視図である。
【００１６】
カバー左側面部７２は、外側に取付凹部７２１，７２２（取付構造）を有する。
カバー右側面部７３も同様に、外側に取付凹部７３１，７３２（取付構造）を有する。
取付凹部７２１は、取付爪３２１と係合する。取付凹部７２２は、取付爪３２２と係合する。取付凹部７３１は、取付爪３３１と係合する。取付凹部７３２は、取付爪３３２と係合する。これにより、表示ユニット１１と本体枠１６とが着脱自在に固定される。
【００１７】
点灯収納部１８と、表示ユニット１１の裏面との間には、略台形柱状の空間が形成される。この空間には、例えば、電源端子台６１、バッテリ６２、点灯ユニット６３、点検アッシー６４などが配置されている。電源端子台６１には、外部電源からの配線が接続される。点灯ユニット６３は、電源端子台６１を介して外部電源から入力した電力を変換して、バッテリ６２を充電するとともに、光源ユニット１４に対して電力を供給する。また、停電などにより外部電源からの電力供給が停止した場合、点灯ユニット６３は、バッテリ６２を放電して、光源ユニット１４に対して電力を供給する。光源ユニット１４の光源は、点灯ユニット６３から供給された電力により点灯する。点検アッシー６４は、点検スイッチや点検用表示灯などを有する。
点灯ユニット６３は、図示していないハーネスをコネクタ４１に接続することにより、光源ユニット１４と電気接続される。本体枠１６が表示ユニット１１の裏面を覆っているので、ハーネスを、本体枠１６の外に出すことなく、光源ユニット１４の端に設けられたコネクタ４１と接続することができる。
【００１８】
図４は、この実施の形態における誘導灯装置１０の使用態様を示す斜視図である。
【００１９】
誘導灯装置１０は、例えば、壁面９１に取り付けて使用される。
表示ユニット１１よりも点灯収納部１８が一回り小さいので、誘導灯装置１０の正面あるいは正面に近い方向から誘導灯装置１０を見ると、点灯収納部１８の部分は見えない。
また、収納左側面部８２及び収納右側面部８３がテーパー状に斜めになっているので、点灯収納部１８の部分が見えない方向の範囲が広い。
【００２０】
図５は、比較例における誘導灯装置９０の使用態様を示す斜視図である。
【００２１】
誘導灯装置９０は、本体枠が、表示ユニットとほぼ同じ大きさの直方体箱状である。
比較例の誘導灯装置９０は、正面に近い方向から見ても、点灯収納部が見えてしまう。
【００２２】
これに対し、この実施の形態における誘導灯装置１０は、表示ユニット１１の厚みしかないように見えるので、意匠性が高い。
【００２３】
また、本体枠１６全体を小さくするのではなく、点灯収納部１８だけを小さくし、表示ユニット１１とほぼ同じ大きさの裏面カバー１７を設けているので、表示ユニット１１を本体枠１６に取り付けるための取付構造を容易に設けることができる。
更に、点灯ユニット６３からの配線を接続するための電気的接続部を光源ユニット１４の端に設けた場合でも、本体枠１６の内側を通って配線することができるので、光源配置の自由度が高い。
【００２４】
以上、説明した構成は、一例であり、他の構成であってもよい。例えば、本質的でない部分の構成を、他の構成で置き換えた構成であってもよい。
【符号の説明】
【００２５】
１０，９０  誘導灯装置、１１  表示ユニット、１２  表示板、１３  表示枠、１４  光源ユニット、１５  導光板、１６  本体枠、１７  裏面カバー、１８  点灯収納部、３１  表示前面部、３２  表示右側面部、３２１，３２２，３３１，３３２  取付爪、３３  表示左側面部、３５  表示下面部、４１  コネクタ、６１  電源端子台、６２  バッテリ、６３  点灯ユニット、６４  点検アッシー、７１  カバー裏面部、７２  カバー左側面部、７２１，７２２，７３１，７３２  取付凹部、７３  カバー右側面部、７５  カバー下面部、８１  収納裏面部、８１１〜８１４，８４１〜８４４  ノックアウト部、８２  収納左側面部、８３  収納右側面部、８４  収納上面部、８５  収納下面部、８５１  点検窓、９１  壁面。
【図１】
0005939897.tif 000002
【図２】
0005939897.tif 000003
【図３】
0005939897.tif 000004
【図４】
0005939897.tif 000005
【図５】
0005939897.tif 000006